(57)【要約】      （修正有）【課題】高速回転した場合であっても、外輪の内周面による案内（外輪案内）が安定して行われる樹脂製櫛型保持器を提供する。【解決手段】樹脂製櫛型保持器は、外輪の内周面により回転が案内される。この保持器の円環部１０は、その外周に、外輪の内周面に案内される第一案内面５１を有している。柱部２０は、その径方向外側の面２７に、回転速度の上昇に応じて柱部２０が径方向外側へ変形することにより、外輪の内周面に案内される面積が基部２５側から増加する第二案内面５２を有している。【選択図】図３
2014202247.tif 000002
【特許請求の範囲】
【請求項１】
内輪と外輪との間に複列状態で複数のころが配置される複列ころ軸受に組み込まれ、列毎に複数の前記ころを保持すると共に、前記外輪の内周面により回転が案内される樹脂製櫛型保持器であって、
円環部、及び、この円環部の一側面から軸方向に延びかつ周方向に間隔をあけて設けられている複数の柱部を備え、
前記円環部は、その外周に、前記外輪の内周面に案内される第一案内面を有し、
前記柱部は、その径方向外側の面に、回転速度の上昇に応じて当該柱部が径方向外側へ変形することにより、前記外輪の内周面に案内される面積が当該柱部の基部側から増加する第二案内面を有していることを特徴とする複列ころ軸受用の樹脂製櫛型保持器。
【請求項２】
前記第二案内面は、前記柱部の基部側に設けられ低速回転時に前記外輪の内周面に案内される低速案内面と、前記柱部の先部側に設けられ高速回転時に前記外輪の内周面に案内される高速案内面と、前記低速案内面と前記高速案内面との間に設けられ中速回転時に前記外輪の内周面に案内される中速案内面と、を有している請求項１に記載の複列ころ軸受用の樹脂製櫛型保持器。
【請求項３】
前記第一案内面は、前記外輪の内周面に平行となる曲面からなる請求項１又は２に記載の複列ころ軸受用の樹脂製櫛型保持器。
【請求項４】
内輪と外輪との間に複列状態で複数のころが配置される複列ころ軸受に組み込まれ、列毎に複数の前記ころを保持すると共に、前記外輪の内周面により回転が案内される樹脂製櫛型保持器であって、
円環部、及び、この円環部の一側面から軸方向に延びかつ周方向に間隔をあけて設けられている複数の柱部を備え、
前記円環部は、その外周に、前記外輪の内周面に案内される案内面を有し、
前記柱部の径方向外側の面は、前記案内面と連続し当該案内面から当該柱部の先部へ向かうにしたがって径方向内側へ向かう面からなることを特徴とする複列ころ軸受用の樹脂製櫛型保持器。
【請求項５】
内輪と、外輪と、これら内輪と外輪との間に複列状態で配置される複数のころと、列毎に複数の前記ころを保持する複数の独立した保持器と、を備え、
前記保持器それぞれは、円環部、及び、この円環部の一側面から軸方向に延びかつ周方向に間隔をあけて設けられている複数の柱部を備えていると共に、前記外輪の内周面により回転が案内される樹脂製櫛型保持器であり、
前記円環部は、その外周に、前記外輪の内周面に案内される第一案内面を有し、
前記柱部は、その径方向外側の面に、回転速度の上昇に応じて当該柱部が径方向外側へ変形することにより、前記外輪の内周面に案内される面積が当該柱部の基部側から増加する第二案内面を有していることを特徴とする複列ころ軸受。
【請求項６】
内輪と、外輪と、これら内輪と外輪との間に複列状態で配置される複数のころと、列毎に複数の前記ころを保持する複数の独立した保持器と、を備え、
前記保持器それぞれは、円環部、及び、この円環部の一側面から軸方向に延びかつ周方向に間隔をあけて設けられている複数の柱部を備えていると共に、前記外輪の内周面により回転が案内される樹脂製櫛型保持器であり、
前記円環部は、その外周に、前記外輪の内周面に案内される案内面を有し、
前記柱部の径方向外側の面は、前記案内面と連続し当該案内面から当該柱部の先部へ向かうにしたがって径方向内側へ向かう面からなることを特徴とする複列ころ軸受。
【発明の詳細な説明】
【技術分野】
【０００１】
本発明は、複列ころ軸受に組み込まれる樹脂製櫛型保持器、及び、樹脂製櫛型保持器を備えている複列ころ軸受に関する。
【背景技術】
【０００２】
工作機械において、主軸を回転可能に支持する軸受部には、高い加工精度を維持するために高い剛性が必要とされており、このために複列ころ軸受が用いられている。さらに近年では、主軸の高速回転化が要求されていることから、高速回転に対応することのできる複列ころ軸受が求められている。
【０００３】
複列ころ軸受は、内輪、外輪、及び、これら内輪と外輪との間に複列状態で配置された複数のころを備えている。そして、特許文献１に示すように、列毎に複数のころを保持する独立した保持器を備えた複列ころ軸受がある。つまり、この複列ころ軸受には、保持器が二つ組み込まれている。各保持器は、円環部、及び、この円環部の一側面から軸方向に延びかつ周方向に間隔をあけて設けられている複数の柱部を備え、櫛型に構成されている。そして、周方向で隣り合う柱部の間が、ころを保持するポケットとなる。
【０００４】
櫛型保持器の場合、柱部が円環部から軸方向に突出している片持ち梁状であるため、柱部の先部側は、ある程度自由に変形できる。このため、例えば複列ころ軸受の回転に伴ってころの進み遅れが発生し、これによって柱部に引っ張り力と圧縮力とが繰り返し作用しても、その力を逃がすことができ、破損が生じにくい。これに対して、一対の円環部の間が柱部により連結された構成である、かご型保持器の場合、柱部は両側の円環部に固定されており変形が拘束されることから、柱部に引っ張り力と圧縮力とが繰り返し作用すると、その力を逃がし難く、櫛型保持器に比べて破損が生じやすい。
【先行技術文献】
【特許文献】
【０００５】
【特許文献１】特開２０１２−１０２７９６号公報（図３参照）
【発明の概要】
【発明が解決しようとする課題】
【０００６】
工作機械の主軸の回転数は、低速回転から高速回転（例えば１５０００ｒｐｍ）まで選択され、主軸は様々な回転数で回転する。そして、主軸の回転数の変化に応じて、複列ころ軸受及びこの軸受に組み込まれている保持器の回転数も変化する。
【０００７】
ここで、高速回転する複列ころ軸受の場合、保持器を樹脂製とし、その保持器の径方向の位置決めが外輪の内周面によって行われる「外輪案内」とするが好ましく、保持器が有する円環部の外周面が、外輪の内周面に案内される案内面となる。つまり、保持器は、円環部の外周面において、外輪の内周面によって周方向の回転が案内される。
【０００８】
しかし、保持器は、特に高速回転すると、遠心力によって径方向外側へ変形（拡径）するが、櫛型保持器の場合、柱部は片持ち梁状であるため遠心力によって変形しやすく、また、かご型保持器のように左右対称ではないため、回転速度の変化に応じて櫛型保持器の変形の形態も変化する。
そして、高速回転の場合、柱部の先部側における変形が特に大きくなり、その先部側が外輪の内周面に対して局所的に接近・接触し、櫛型保持器の外輪案内が不安定になることも考えられる。
【０００９】
そこで、本発明は、高速回転した場合であっても、外輪の内周面による案内（外輪案内）が安定して行われる樹脂製櫛型保持器、及び、このような樹脂製櫛型保持器を備えている複列ころ軸受を提供することを目的とする。
【課題を解決するための手段】
【００１０】
本発明は、内輪と外輪との間に複列状態で複数のころが配置される複列ころ軸受に組み込まれ、列毎に複数の前記ころを保持すると共に、前記外輪の内周面により回転が案内される樹脂製櫛型保持器であって、円環部、及び、この円環部の一側面から軸方向に延びかつ周方向に間隔をあけて設けられている複数の柱部を備え、前記円環部は、その外周に、前記外輪の内周面に案内される第一案内面を有し、前記柱部は、その径方向外側の面に、回転速度の上昇に応じて当該柱部が径方向外側へ変形することにより、前記外輪の内周面に案内される面積が当該柱部の基部側から増加する第二案内面を有していることを特徴とする。
【００１１】
本発明によれば、樹脂製櫛型保持器は、柱部の径方向外側の面に、外輪の内周面によって案内される第二案内面を有しており、この第二案内面では、回転速度の上昇に応じて外輪の内周面に案内される面積が柱部の基部側から増加するので、樹脂製櫛型保持器は、高速回転した状態であっても、安定して外輪に案内される。
【００１２】
また、前記第二案内面は、前記柱部の基部側に設けられ低速回転時に前記外輪の内周面に案内される低速案内面と、前記柱部の先部側に設けられ高速回転時に前記外輪の内周面に案内される高速案内面と、前記低速案内面と前記高速案内面との間に設けられ中速回転時に前記外輪の内周面に案内される中速案内面とを有しているのが好ましい。
この場合、樹脂製櫛型保持器の回転数が、低速、中速、高速それぞれ変化すると、外輪の内周面によって案内される第二案内面の案内領域を切り替えることができる。
【００１３】
また、前記第一案内面は、前記外輪の内周面に平行となる曲面からなるのが好ましい。
この場合、樹脂製櫛型保持器の回転に伴う遠心力が小さく、柱部の変形が小さくても、外輪の内周面によってこの保持器は第一案内面において安定して案内される。
【００１４】
また、本発明は、内輪と外輪との間に複列状態で複数のころが配置される複列ころ軸受に組み込まれ、列毎に複数の前記ころを保持すると共に、前記外輪の内周面により回転が案内される樹脂製櫛型保持器であって、円環部、及び、この円環部の一側面から軸方向に延びかつ周方向に間隔をあけて設けられている複数の柱部を備え、前記円環部は、その外周に、前記外輪の内周面に案内される案内面を有し、前記柱部の径方向外側の面は、前記案内面と連続し当該案内面から当該柱部の先部へ向かうにしたがって径方向内側へ向かう面からなることを特徴とする。
【００１５】
櫛型保持器が回転すると、柱部は、片持ち梁状であるため遠心力によって径方向外側へ変形しやすく、しかも、柱部の先部側の変形量が基部側に比べて大きくなる。そこで、本発明によれば、この柱部の径方向外側の面は、先部へ向かうにしたがって径方向内側へ向かう面からなるので、回転速度の上昇に応じて柱部が径方向外側へ変形すると、この径方向外側の面において、外輪の内周面に案内される面積を柱部の基部側から増加させることが可能となる。このため、高速回転に伴う遠心力によって柱部が変形しても、柱部の径方向外側の面のうちの先部側のみが局所的に外輪の内周面に案内されるのを防ぎ、高速回転した状態であっても、樹脂製櫛型保持器は安定して外輪に案内される。
【００１６】
また、本発明の複列ころ軸受は、内輪と、外輪と、これら内輪と外輪との間に複列状態で配置される複数のころと、列毎に複数の前記ころを保持する複数の独立した保持器とを備え、前記保持器それぞれは、円環部、及び、この円環部の一側面から軸方向に延びかつ周方向に間隔をあけて設けられている複数の柱部を備えていると共に、前記外輪の内周面により回転が案内される樹脂製櫛型保持器であり、前記円環部は、その外周に、前記外輪の内周面に案内される第一案内面を有し、前記柱部は、その径方向外側の面に、回転速度の上昇に応じて当該柱部が径方向外側へ変形することにより、前記外輪の内周面に案内される面積が当該柱部の基部側から増加する第二案内面を有していることを特徴とする。
【００１７】
本発明によれば、樹脂製櫛型保持器は、柱部の径方向外側の面に、外輪の内周面によって案内される第二案内面を有しており、この第二案内面では、回転速度の上昇に応じて外輪の内周面に案内される面積が柱部の基部側から増加するので、樹脂製櫛型保持器は、高速回転した状態であっても、安定して外輪に案内される。
【００１８】
また、本発明の複列ころ軸受は、内輪と、外輪と、これら内輪と外輪との間に複列状態で配置される複数のころと、列毎に複数の前記ころを保持する複数の独立した保持器とを備え、前記保持器それぞれは、円環部、及び、この円環部の一側面から軸方向に延びかつ周方向に間隔をあけて設けられている複数の柱部を備えていると共に、前記外輪の内周面により回転が案内される樹脂製櫛型保持器であり、前記円環部は、その外周に、前記外輪の内周面に案内される案内面を有し、前記柱部の径方向外側の面は、前記案内面と連続し当該案内面から当該柱部の先部へ向かうにしたがって径方向内側へ向かう面からなることを特徴とする。
【００１９】
櫛型保持器が回転すると、柱部は、片持ち梁状であるため遠心力によって径方向外側へ変形しやすく、しかも、柱部の先部側の変形量が基部側に比べて大きくなる。そこで、本発明によれば、この柱部の径方向外側の面は、先部へ向かうにしたがって径方向内側へ向かう面からなるので、回転速度の上昇に応じて柱部が径方向外側へ変形すると、この径方向外側の面において、外輪の内周面に案内される面積を柱部の基部側から増加させることが可能となる。このため、高速回転に伴う遠心力によって柱部が変形しても、柱部の径方向外側の面のうちの先部側のみが局所的に外輪の内周面に案内されるのを防ぎ、高速回転した状態であっても、樹脂製櫛型保持器は安定して外輪に案内される。
【発明の効果】
【００２０】
本発明の樹脂製櫛型保持器、及び、この樹脂製櫛型保持器を備えている複列ころ軸受によれば、回転速度の上昇に応じて柱部が径方向外側へ変形すると、この柱部の径方向外側の面において、外輪の内周面に案内される面積を柱部の基部側から増加させることができ、樹脂製櫛型保持器は、高速回転した状態であっても安定して外輪に案内される。
【図面の簡単な説明】
【００２１】
【図１】複列ころ軸受の縦断面図である。
【図２】保持器の斜視図である。
【図３】図２の一部を拡大して示す拡大図である。
【図４】保持器の一部を保持器の軸方向から見た図である。
【図５】図４のＶ−Ｖ矢視の断面図である。
【発明を実施するための形態】
【００２２】
以下、本発明の実施の形態を図面に基づいて説明する。
図１は、複列ころ軸受１の縦断面図である。なお、各図面において同一の構成要素に対しては同一の符号（参照番号）を付し、重複する説明は省略する。
【００２３】
この複列ころ軸受１は、例えば、汎用旋盤、ＣＮＣ旋盤、マシニングセンタ、フライス盤等の工作機械の主軸６を支持する軸受として使用され、高速回転する主軸６を高い剛性で支持することが可能である。
主軸６の直径は例えば５０〜１５０ミリ程度であり、主軸６の最大回転数は１００００〜１５０００ｒｐｍとなる。そして、主軸６は、低速回転する場合や、高速回転する場合があり、また、低速又は停止状態から高速回転状態（最大回転数）へと急加速する。
【００２４】
本実施形態の複列ころ軸受１は、内輪２と、外輪３と、これら内輪２と外輪３との間に配置された複数のころ４と、これらころ４を保持する環状の保持器５，５とを備えている。ころ４は、複列状態（二列状態）で配置されており、保持器５，５それぞれは、列毎に独立して複数のころ４を保持している。つまり、この複列ころ軸受１には、独立した二つの保持器５，５が組み込まれている。ころ４の外周面は円筒形であり、この複列ころ軸受１は複列円筒ころ軸受である。
【００２５】
内輪２の外周面には、二列に配置されたころ４が転動する転動面２ａ，２ｂが形成されており、外輪３の内周面の一部が、二列のころ４が転動する転動面３ａ，３ｂとなる。そして、外輪３が工作機械の軸受ハウジング８の内周面に取り付けられており、内輪２に主軸６が挿入されている。この複列ころ軸受１はグリース潤滑されており、内輪２、外輪３、ころ４及び保持器５にはグリースが付着している。
【００２６】
一方側のころ列用の保持器５と他方側のころ列用の保持器５とは、複列ころ軸受１への取り付け方向が異なるが、同じものである。これら保持器５，５は、軸方向に並べて複列ころ軸受１に組み込まれており、各保持器５の軸方向に向く一側面１１が、複列ころ軸受１の軸方向外側へ向くように配置され、保持器５，５の対向する環状の背面１４，１４同士が接触可能となる。そして、保持器５，５それぞれは独立して各ころ列と共に回転することができる。
【００２７】
図２は、保持器５（図１の右側の保持器５）の斜視図である。この保持器５は、櫛型保持器であり、円環形状である円環部１０と、複数の柱部２０とを備えている。複数の柱部２０は、周方向に間隔（等間隔）をあけて設けられており、各柱部２０は、円環部１０の一側面１１から軸方向に向かって延びて形成されている。このため、柱部２０は、円環部１０から突出した片持ち梁状となる。なお、一側面１１の軸方向反対側の面（他側面）が前記背面１４となる。背面１４は、円環状の滑らかな面により構成されており、軸方向の隣りに設置される別の保持器５の背面１４と接触可能となる合わせ面となる。
【００２８】
保持器５は、樹脂製（合成樹脂製）であり、射出成型により製造され、円環部１０と柱部２０とは一体に成型されている。保持器５の材質は、例えば、ポリエーテルエーテルケトン（ＰＥＥＫ）や、ポリアミドとすることができる。
【００２９】
柱部２０は周方向一定間隔おきに設けられており、円環部１０の一側面１１側であって周方向隣り合う柱部２０，２０の間に、ころを保持するポケット７が形成されている。つまり、各ポケット７は、周方向に隣接する柱部２０，２０の互いに対向する対向面２４，２４と、円環部１０の一側面１１とで囲まれた空間からなる。各ポケット７は、軸方向外側に向かって開口しており、保持器５は全体として櫛歯形状となる。
【００３０】
図３は、図２の一部を拡大して示す拡大図である。図４は、保持器５の一部を保持器５の軸方向から見た図である。図５は、図４のＶ−Ｖ矢視の断面図である。柱部２０は、先端面３６、径方向内側の面２１、径方向外側の面２７、及び、前記対向面２４，２４を有している。対向面２４は、ころ４の外周面４ｂに対向する面である。
なお、図２に示すように、円環部１０の外周面１９は、径方向寸法が大きい大径部１９ａと、径方向寸法が大径部よりも小さい小径部１９ｂとを有している。大径部１９ａは柱部２０と周方向について同じピッチで複数形成されており、柱部２０の径方向外側の面２７と連続している。そして、大径部１９ａと小径部１９ｂとは周方向で交互に形成されている。
【００３１】
この保持器５は、主に円環部１０（図２参照）の外周面１９（の一部である前記大径部１９ａ）において、外輪３の内周面３ｃによって径方向について位置決めされる（外輪案内される）。つまり、この保持器５は、外輪３の内周面３ｃによって周方向の回転が案内される。以下、この外輪案内のための構成について説明する。
【００３２】
保持器５は、円環部１０の外周面１９と柱部２０の径方向外側の面２７とを含む保持器外面４５に、外輪案内させるための第一案内面５１及び第二案内面５２を有している（図３参照）。第一案内面５１は、円環部１０の外周面１９の一部からなり、本実施形態では前記大径部１９ａからなる。つまり、円環部１０は、その外周の一部に、外輪３の内周面３ｃに案内される第一案内面５１を有している。そして、第二案内面５２は、柱部２０の径方向外側の面２７に有しており、本実施形態では、この面２７の全体からなる。つまり、柱部２０は、その径方向外側の面２７に、外輪３の内周面３ｃに案内される（案内され得る）第二案内面５２を有している。
【００３３】
第一案内面５１は、外輪３の内周面３ｃに平行であり、内周面３ｃよりも少し半径の小さい円弧面（曲面）からなる。つまり、第一案内面５１は、保持器５の中心線を中心とする仮想円筒面に沿って設けられている円弧面からなる。そして、この第一案内面５１と内周面３ｃとの間に周方向で一定の径方向隙間ｄ３が形成される（図５参照）。なお、保持器５が高速回転することで遠心力によって円環部１０は僅かに径方向外側に変形（拡径）することから、前記径方向隙間ｄ３は、この変形量を考慮して設定される。つまり、保持器５が高速回転して拡径しても、外輪３の内周面３ｃとの間に僅かな隙間が設けられるように、前記径方向隙間ｄ３は設定される。
【００３４】
図３と図５とにおいて、柱部２０の径方向外側の面２７からなる第二案内面５２は、第一案内面５１と連続して形成されており、また、第一案内面５１から柱部２０の先部２６へ向かうにしたがって径方向内側へ向かう面（傾斜面）からなる。このため、第二案内面５２と外輪３の内周面３ｃとの径方向隙間ｄ４（図５参照）は、柱部２０の先端へと向かうにしたがって大きくなる。第二案内面５２は、直線的な面（平面）であってもよいが、本実施形態では、先端へ向かうにしたがって傾斜角度が変化する（大きくなる）面である。なお、前記傾斜角度は、図５に示す断面において、外輪３の内周面３ｃに平行である第一案内面５１を基準としている。
【００３５】
すなわち、第二案内面５２は、基部２５側から先部２６側へ向かって、低速案内面５３、中速案内面５４及び高速案内面５５を有しており、これら案内面５３，５４，５５それぞれは、傾斜角度が異なっている。低速案内面５３は中速案内面５４よりも傾斜角度が小さく、中速案内面５４は高速案内面５５よりも傾斜角度が小さい。
【００３６】
また、第二案内面５２（さらにこれに含まれる面５３，５４，５５それぞれ）を、連続的又は段階的に傾斜角度が変化する面とすることができ、本実施形態では、連続的に傾斜角度が変化している。つまり、第二案内面５２は、柱部２０の基部２５側から先部２６側へ向けて滑らかな円弧面として形成されている。この円弧面は、単一の曲率半径からなる円弧面であってもよいが、曲率半径が異なる円弧面を複数組み合わせて成る円弧面であってもよく、本実施形態では、後者である。
【００３７】
保持器５は回転すると遠心力によって柱部２０が径方向外側へ変形する。そして、回転速度が高まって、柱部２０に作用する遠心力が大きくなり、柱部２０が径方向外側へ変形すると、前記径方向隙間ｄ４が小さくなり、柱部２０の第二案内面５２によって、円環部１０の第一案内面５１と共に、外輪案内がされる。
【００３８】
また、柱部２０は片持ち梁状であるため、基部２５側よりも先部２６側の方が変形量は大きくなり、また、各部における変形量は回転数に応じて変化する。そこで、柱部２０の基部２５側に設けられている前記低速案内面５３は、保持器５の低速回転時に、外輪３の内周面３ｃに接近した状態となって案内される。また、この低速案内面５３と高速案内面５５との間に設けられている前記中速案内面５４は、保持器５の中速回転時に、外輪３の内周面３ｃに接近した状態となって案内される。なお、この中速回転時では、低速案内面５３も内周面３ｃに接近した状態となって案内される。そして、柱部２０の先部２６側に設けられている前記高速案内面５５は、保持器５の高速回転時に、外輪３の内周面３ｃに接近した状態となって案内される。なお、この高速回転時では、低速案内面５３及び中速案内面５４も内周面３ｃに接近した状態となって案内される。
【００３９】
以上より、保持器５の回転速度の上昇に応じて柱部２０が径方向外側へ変形することにより、第二案内面５２では、外輪３の内周面３ｃに案内される面積が柱部２０の基部２５側から増加する構成となる。
そして、保持器５が回転すると、第二案内面５２（案内面５３，５４，５５それぞれ）は遠心力によって径方向外側へ拡大され、外輪３の内周面３ｃとの間の径方向隙間ｄ４が小さくなり、保持器５は外輪案内される。
【００４０】
また、本実施形態では、第二案内面５２は、低速回転時に外輪３の内周面３ｃに案内される低速案内面５３と、中速回転時に内周面３ｃに案内される中速案内面５４と、高速回転時に内周面３ｃに案内される高速案内面５４とを有しているので、回転数が、低速、中速、高速それぞれ変化すると、外輪３の内周面３ｃによって案内される第二案内面５２の案内領域を切り替えることができる。すなわち、複列ころ軸受１内において、保持器５を低速回転から高速回転までの全域で安定して案内することが可能となる。
【００４１】
また、柱部２０は片持ち梁状であるため遠心力によって径方向外側へ変形しやすく、しかも、柱部２０の先部２６側の変形量が基部２５側に比べて大きくなる。そこで、本実施形態の保持器５では、前記のとおり、第二案内面５２となる径方向外側の面２７を、先部２６へ向かうにしたがって径方向内側へ向かう面とし、回転速度の上昇に応じて柱部２０が径方向外側へ変形すると、この径方向外側の面２７において、外輪３の内周面３ｃに案内される面積を、柱部２０の基部２５側から増加させている。
このため、高速回転に伴う遠心力によって柱部２０が変形しても、径方向外側の面２７のうちの先部２６側のみが局所的に外輪３の内周面３ｃに案内されるのではなく、全体的に内周面３ｃに案内されるので、高速回転した状態であっても、保持器５はがたつかずに安定して外輪３に案内される。
【００４２】
そして、本実施形態では、外輪案内は、円環部１０の外周面１９に設けられている第一案内面５１においても行われる。第一案内面５１は、外輪３の内周面３ｃに平行となる円弧面からなるため、保持器５の回転に伴う遠心力が小さく、柱部２０の変形が小さくても、外輪３の内周面３ｃによって、保持器５はこの第一案内面５１において安定して案内される。
【００４３】
なお、本実施形態において、低速回転とは、ｄｍｎ値が０以上で５０００００未満であり、中速回転とは、ｄｍｎ値が５０００００以上で１００００００未満であり、高速回転とは、ｄｍｎ値が１００００００以上である。なお、ｄｍｎ値とは、軸受のＰＣＤ（ピッチ円直径）［ｍｍ］×回転速度［ｍｉｎ−１］である。
【００４４】
また、本実施形態の保持器５は樹脂製であることから、金属製（例えば黄銅製）とするよりも、回転抵抗を小さくすることができ、低騒音であり、高速回転対応性能が高い。
なお、保持器には黄銅製（銅合金製）のものがあるが、特に高速回転の環境で用いられる場合、保持器の内周面、外周面及びポケット面等が、内輪、外輪及びころに接触することで摩耗し、摩耗粉が発生する。この摩耗粉が、複列ころ軸受の潤滑用のグリース中に混入すると、グリースの潤滑性能が劣化し、軸受の焼き付きや損傷の原因になるおそれがある。しかし、本実施形態の保持器５は樹脂製であるため、前記のような摩耗粉によるグリースの潤滑性能の劣化を防ぐことができる。つまり、樹脂製の保持器５は、黄銅製のものに比べて高速回転に適している。
【００４５】
また、保持器５は櫛型であり、柱部２０は円環部１０から軸方向に突出している片持ち梁状であるため、柱部２０の先部側はある程度自由に変形できる。このため、複列ころ軸受１が回転し、ころ４の進み遅れによって保持器５に引っ張り力と圧縮力とが繰り返し作用しても、その力を逃がすことができ、破損が生じにくい。
【００４６】
また、本発明の複列ころ軸受及び保持器は、図示する形態に限らず本発明の範囲内において他の形態のものであってもよい。前記実施形態では、柱部２０の第二案内面５２は、先部２６へ向かうにしたがって連続的に径方向内側へ向かう面として説明したが、段階的に径方向内側へ向かう面であってもよい。また、この第二案内面５２に含まれる低速案内面５３については、傾斜角度がゼロ、つまり、第一案内面５１と同一面上に形成されていてもよい。
また、本実施形態では、第一案内面５１を、円環部１０の外周面１９の一部である大径部１９ａとした場合について説明したが、外周面１９の全部、つまり、周方向に連続した面としてもよい。
そして、複列ころ軸受１は、工作機械の主軸６の支持以外の用途であってもよい。
【符号の説明】
【００４７】
１：複列ころ軸受    ２：内輪    ３：外輪
３ｃ：内周面    ４：ころ    ５：保持器（樹脂製櫛型保持器）
１０：円環部    １１：一側面    １９：外周面
２０：柱部    ２５：基部    ２６：先部
２７：径方向外側の面    ５１：第一案内面    ５２：第二案内面
５３：低速案内面    ５４：中速案内面    ５５：高速案内面
【図１】
2014202247.tif 000003
【図２】
2014202247.tif 000004
【図３】
2014202247.tif 000005
【図４】
2014202247.tif 000006
【図５】
2014202247.tif 000007